(57)【要約】【目的】  電動始動入賞装置の駆動状態を容易に把握できるとともに、遊技における興趣を向上させることができるパチンコ機を提供することにある。【構成】  電動始動入賞装置２０の左右側方に、遊技盤の表面を落下する遊技球を電動始動入賞装置２０に向けて誘導するように透光性の樹脂で傾斜状に所定長さをもって突出形成される誘導部材３０を配置し、該誘導部材３０は、その裏面に所定の発光態様で光を発する複数個の発光部材４０〜４４を傾斜に沿って設けたことにより、発光部材４０〜４４を用いた複数種類の発光態様を実行することが可能となる。また、誘導部材３０によって遊技盤の表面を落下する遊技球を電動始動入賞装置２０に向けて誘導するため、遊技者の遊技に対する興趣を向上させることができる。【選択図】  図２
2005040508.tif 000002
【特許請求の範囲】
【請求項１】
遊技盤のほぼ中央に設けられる図柄表示装置の下部に該図柄表示装置の表示結果を導出するための電動始動入賞装置を配置したパチンコ機において、
前記電動始動入賞装置の左右側方に、前記遊技盤の表面を落下する遊技球を電動始動入賞装置に向けて誘導するように透光性の樹脂で傾斜状に所定長さをもって突出形成される誘導部材を配置し、
該誘導部材には、その裏面に所定の発光態様で光を発する複数個の発光部材を傾斜に沿って設けたことを特徴とするパチンコ機。
【請求項２】
前記電動始動入賞装置は、前記遊技盤の表面に取り付けられる取付基板の前面に電気的駆動源によって開閉自在に軸支される一対の可動部材を有することによって構成され、
前記誘導部材は、前記取付基板の前面に一体的に組み付けられていることを特徴とする請求項１記載のパチンコ機。
【請求項３】
前記誘導部材は、前記可動部材が開成したときに、該開成により傾斜した前記可動部材の上面のほぼ延長線上に傾斜状に配置されることを特徴とする請求項２記載のパチンコ機。
【請求項４】
前記所定の発光態様は、前記複数個の発光部材のうち前記可動部材に近い位置の発光部材から前記可動部材から遠い位置の発光部材に向けて順次点滅させる点滅態様であり、
前記可動部材が開成したときに、前記点滅態様で前記発光部材が発光制御されることを特徴とする請求項１乃至請求項３のいずれかに記載のパチンコ機。
【発明の詳細な説明】
【技術分野】
【０００１】
本発明は、遊技盤のほぼ中央に設けられる図柄表示装置の下部に該図柄表示装置の表示結果を導出するための電動始動入賞装置を配置したパチンコ機に関するものである。
【背景技術】
【０００２】
従来、遊技盤のほぼ中央に設けられる図柄表示装置を備えたパチンコ機においては、図柄表示装置の下部に図柄表示装置にて図柄の変動表示を開始させるための始動入賞口を有する電動始動入賞装置が設けられ、所定条件の成立（例えば、普通図柄表示器の表示結果が当りとなった場合）に基づいて電動始動入賞装置に設けられた可動部材を開閉させて、始動入賞口にパチンコ玉が入賞し易い状態に変化させることにより、遊技者にとって有利な状態と遊技者にとって不利な状態とに変化させていた。（特許文献１参照）。
【特許文献１】特開２００３−１５４１２０号公報（第５頁、第３図）
【発明の開示】
【発明が解決しようとする課題】
【０００３】
上記した特許文献１のパチンコ機においては、図柄表示装置の周囲には複数個のランプ等の発光部材が設けられ、図柄表示装置にて図柄の組み合わせが特定の表示結果となったことに基づいて開閉制御される変動入賞球装置にも複数個のランプ等の発光部材が設けられていた。そして、図柄表示装置の表示態様または変動入賞装置の駆動状態に応じてランプ等の発光態様を変化させることにより、遊技者に図柄表示装置の表示態様または変動入賞装置の駆動態様を把握させることが可能な状態となり、複数種類の発光態様を実行することによって遊技者の遊技に対する興趣を高めていた。ところが、図柄表示装置および変動入賞装置の周囲には複数個のランプ等が設けられているのに対して、電動始動入賞装置の周囲にはランプが設けられていなかった。そのため、電動始動入賞装置の駆動状態に同期してランプ等の発光態様を変化させる演出を行うことができず、ランプ等の発光態様によって遊技者に電動始動入賞装置の駆動状態を把握させることができないだけでなく、電動始動入賞装置にて実行される可動部材の開閉動作に対する盛り上がりに欠けるものとなってしまっていた。本発明は、上記した事情に鑑みなされたもので、その目的とするところは、電動始動入賞装置の駆動状態を容易に把握できるとともに、遊技における興趣を向上させることができるパチンコ機を提供することにある。
【課題を解決するための手段】
【０００４】
上記した目的を達成するために、請求項１に係る発明においては、遊技盤（例えば、遊技盤２）のほぼ中央に設けられる図柄表示装置（例えば、図柄表示装置３）の下部に該図柄表示装置の表示結果を導出するための電動始動入賞装置（例えば、電動始動入賞装置２０）を配置したパチンコ機（例えば、パチンコ機１）において、前記電動始動入賞装置の左右側方に、前記遊技盤の表面を落下する遊技球（例えば、パチンコ玉）を電動始動入賞装置に向けて誘導するように透光性の樹脂（例えば、アクリル樹脂等）で傾斜状に所定長さをもって突出形成される誘導部材（例えば、誘導部材３０）を配置し、該誘導部材には、その裏面に所定の発光態様で光を発する複数個の発光部材（例えば、ＬＥＤ４０〜ＬＥＤ４４）を傾斜に沿って設けたことを特徴とする。
【０００５】
また、請求項２に係る発明においては、前記電動始動入賞装置は、前記遊技盤の表面に取り付けられる取付基板（例えば、取付基板２１）の前面に電気的駆動源（例えば、ソレノイド２５）によって開閉自在に軸支される一対の可動部材（例えば、可動部材左２３ａ、可動部材右２３ｂ）を有することによって構成され、前記誘導部材は、前記取付基板の前面に一体的に組み付けられている（例えば、同一の取付基板２１上に電動始動入賞装置２０と誘導部材３０とを組み付ける）ことを特徴とする。
【０００６】
また、請求項３に係る発明においては、前記誘導部材は、前記可動部材が開成したとき（例えば、開成状態となったときの可動部材左２３ａ’および可動部材右２３ｂ’）に、該開成により傾斜した前記可動部材の上面のほぼ延長線上に傾斜状に配置される（例えば、可動部材左２３ａ’の延長線上に誘導部材左３０ａが配置し、可動部材右２３ｂ’の延長線上に誘導部材右３０ｂが配置する）ことを特徴とする。
【０００７】
また、請求項４に係る発明においては、前記所定の発光態様は、前記複数個の発光部材のうち前記可動部材に近い位置の発光部材（例えば、ＬＥＤ４５ａまたはＬＥＤ４５ｂ）から前記可動部材から遠い位置の発光部材（例えば、ＬＥＤ４４ａまたはＬＥＤ４４ｂ）に向けて順次点滅させる点滅態様であり、前記可動部材が開成したときに、前記点滅態様で前記発光部材が発光制御される（例えば、可動部材２３が閉成状態から開成状態へ開閉駆動するときに、可動部材左２３ａの回動角度に応じてＬＥＤ４５ａからＬＥＤ４８ａまで順に発光制御し、次いで、ＬＥＤ４０ａからＬＥＤ４４ａまで順に発光制御するとともに、可動部材右２３ｂの回動角度に応じてＬＥＤ４５ｂからＬＥＤ４８ｂまで順に発光制御し、次いで、ＬＥＤ４０ｂからＬＥＤ４４ｂまで順に発光制御する）ことを特徴とする。
【発明の効果】
【０００８】
請求項１に係る発明においては、透光性の樹脂によって形成された誘導部材の裏面に発光部材を傾斜上に沿って設けたため、電動始動入賞装置の近傍に配置された発光部材を用いた複数種類の発光態様を実行することが可能となるため、電動始動入賞装置の駆動状態を容易に把握できる。また、誘導部材によって遊技盤の表面を落下する遊技球を電動始動入賞装置に向けて誘導するため、遊技者の遊技に対する興趣を向上させることができる。
【０００９】
また、請求項２に係る発明においては、電動始動入賞装置と誘導部材とを同一の取付基板の前面に一体的に組み付けたため、電動始動入賞装置と誘導部材との相対的な位置関係を常に一定にすることができる。
【００１０】
また、請求項３に係る発明においては、傾斜した可動部材の上面のほぼ延長線上に傾斜状に誘導部材が配置され、遊技球が誘導部材に受け止められたときには電動始動入賞装置に向けて誘導させることができるため、遊技球の電動始動入賞装置への入賞が増加し、遊技者の遊技に対する興趣を向上させることができる。
【００１１】
また、請求項４に係る発明においては、可動部材が開成したときに発光部材を順次点滅させるため、電動始動入賞装置の装飾性が向上し、可動部材が開成したことを遊技者が容易に認識することができるため、遊技者の可動部材の駆動状態に対する興趣を向上させることができる。
【発明を実施するための最良の形態】
【００１２】
以下、図面を参照して本発明の実施形態について説明する。先ず、図１を参照して、本実施形態に係るパチンコ機１の概要について説明する。図１は、本実施形態に係るパチンコ機１の正面図である。
【００１３】
図１に示すように、パチンコ機１の遊技盤２のほぼ中央部には図柄表示装置３が配置されている。図柄表示装置３の中央部には、図柄表示器４が設けられ、この図柄表示器４にて特別図柄とよばれる図柄の変動表示が実行される。図柄表示器４は、様々な図柄が表示制御されるものであるが、例えば、液晶表示装置（ＬＣＤ）等により構成された図柄表示器４には、３列の図柄列が設けられ、それぞれの図柄列にて「０」〜「９」までの数字を「０」から順に表示することによって特別図柄の変動表示が実行される。そして、変動表示が停止したときに、図柄表示器４の表示結果としてそれぞれの図柄列にて表示される数字の組み合わせが表示される。
【００１４】
図柄表示器４の上部には、普通図柄表示器５が設けられている。普通図柄表示器５では、普通図柄とよばれる図柄の変動表示が実行される。普通図柄表示器５は、様々な図柄が表示制御されるものであるが、例えば、７セグメントＬＥＤにより構成された普通図柄表示器５には、１列の図柄列が設けられ、その図柄列にて「０」〜「９」までの数字を「０」から順に表示することによって普通図柄の変動表示が実行される。そして、変動表示が停止したときに、普通図柄表示器５の表示結果としていずれかの数字が表示される。
【００１５】
図柄表示装置３の左右側方には、ゲート６ａ、６ｂが設けられている。左側方に配置されるゲート６ａは、普通図柄表示器５にて普通図柄の変動表示を開始させる始動機能を有している。なお、右側方に配置されるゲート６ｂは、本実施形態の場合、単にパチンコ玉を通過させるだけで始動機能を有さないが、始動機能を有するように構成してもよい。また、図柄表示装置３の上部左右側方および下部左右側方には、図柄表示装置３を取り囲むように盤面ランプ７ａ〜７ｄ（ただし、前面に風車が取り付けられている）が設けられ、更に盤面ランプ７ｂの左側方には、装飾ランプ８ａが、盤面ランプ７ｄの右側方には、装飾ランプ８ｂが設けられている。この装飾ランプ８ａ、８ｂおよび盤面ランプ７ａ〜７ｄは、図柄表示器４の表示態様、遊技の状態（例えば、大当り状態等）等に応じて発光制御されて、複数種類の演出を行うランプである。
【００１６】
図柄表示装置３の下方には、誘導部材付電動始動入賞装置１０が設けられている。この実施の形態における誘導部材付電動始動入賞装置１０は、電動始動入賞装置２０および電動始動入賞装置２０の左右側方に設けられた誘導部材３０が同一の取付基板２１の前面に取り付けられることによって構成されている。さらに、電動始動入賞装置２０は、取付基板２１に開閉可能に軸支された左右一対の可動部材２３ａ、２３ｂによって構成されている。可動部材２３ａ、２３ｂは、後述するソレノイド２５によって図柄表示器４にて特別図柄の変動表示を開始させる始動機能を有する始動入賞口９を開閉制御するものであり、可動部材２３ａ、２３ｂが開成状態となっていない状態でも上部から始動入賞口９に遊技球としてのパチンコ玉を受け入れ可能な状態となっている。可動部材２３ａ、２３ｂは、下部が取付基板２１に軸支され、ソレノイド２５によって開閉駆動されることによって、下部を支点として可動部材左２３ａが左に回動し、可動部材右２３ｂが右に回動する。つまり、可動部材２３の上部が左右に開いた状態となる。このような開成状態となることによって始動入賞口９にパチンコ玉が入賞し易い状態となる。
【００１７】
誘導部材付電動始動入賞装置１０の左右側方には、入賞口１１が設けられている。また、誘導部材付電動始動入賞装置１０の下方には、変動入賞球装置１２が設けられ、変動入賞球装置１２の左右側部には、変動入賞球装置装飾ランプ１３が設けられている。変動入賞球装置装飾ランプ１３は、変動入賞球装置１２の駆動状態、遊技の状態、等に応じて発光制御されるランプである。
【００１８】
また、遊技盤２の下方には、払い出された賞球球を貯留する上皿１４が設置され、上皿１４の下方には、上皿１４に貯留しきれない賞球球が払い出される下皿１５が設置されている。また、下皿１５の右側方には、パチンコ玉を発射させるためのハンドル１６が設置されている。また、図１には、図示していないが、遊技盤２には、パチンコ玉の流下方向、速度を変化せしめる多数の障害釘（例えば、２７ａ、２７ｂ、２８ａ、２８ｂ：図４参照）が設けられている。
【００１９】
上記した構成からなるパチンコ機１の動作について説明すると、遊技者がハンドル１６を操作することによって発射されたパチンコ玉は、レールを通って遊技盤２の上部から遊技盤２の表面を落下する。パチンコ玉が、ゲート６ａを通過し、ゲート６ａに内蔵された検出スイッチ（図示しない）で検出されると、普通図柄表示器５にて普通図柄の変動表示が開始される。そして、普通図柄表示器５にて普通図柄の変動表示が開始されてから所定の時間が経過すると、普通図柄表示器５の変動表示が停止し、表示結果が表示される。普通図柄の表示結果が予め定められた特定の図柄（例えば、７）となると、誘導部材付電動始動入賞装置１０の可動部材左２３ａおよび可動部材右２３ｂが開成状態となり、始動入賞口９にパチンコ玉が受け入れ易い状態となる。すなわち、普通図柄表示器５にて特定の図柄が表示されたことに基づいて可動部材左２３ａおよび可動部材右２３ｂが開成状態となることにより、パチンコ玉を受け入れ可能な状態から、パチンコ玉がより受け入れ易い状態へと変化し、遊技者にとってより有利な状態となる。
【００２０】
始動入賞口９にパチンコ玉が入賞し、後述する検出スイッチ２６で検出されると、図柄表示器４にて特別図柄の変動表示が開始される。そして、図柄表示器４にて特別図柄の変動表示が開始されてから所定の時間が経過すると、図柄表示器４の変動表示が停止し、表示結果が表示される。特別図柄の表示結果が予め定められた特定の表示結果（例えば、同一図柄のゾロ目）となると、大当り状態となる。大当り状態となると、変動入賞球装置１２が開放し、変動入賞球装置１２にパチンコ玉を受け入れることができる状態になる。変動入賞球装置１２にパチンコ玉が入賞することによって賞球球が払い出される。また、変動入賞球装置１２は、所定時間（例えば、３０秒）が経過するか、その所定時間内に所定個数（例えば、１０個）の入賞球が発生するまで開放し、そのような開放状態を変動入賞球装置１２の内部に設けられるＶ入賞口（図示しない）に入賞することを条件として、所定回数（例えば、１６回）繰り返すことができるようになっている。
【００２１】
次に、本発明の要部を構成する誘導部材付電動始動入賞装置１０について詳細に説明する。図２〜図４に、本発明の要部を構成する誘導部材付電動始動入賞装置１０を示す。図２は、本発明に係る誘導部材付電動始動入賞装置１０の斜視図であり、図３は、誘導部材付電動始動入賞装置１０の正面図であり、図４は、遊技盤２に取り付けた状態の誘導部材付電動始動入賞装置１０の正面図である。
【００２２】
この実施の形態では、誘導部材付電動始動入賞装置１０は、取付基板２１によって遊技盤２の前面に取り付けられる。取付基板２１には、取付穴２２が設けられ、この取付穴２２を介してネジ等により遊技盤２の前面に螺着される。また、取付基板２１には、電動始動入賞装置２０および誘導部材３０が取り付けられ、電動始動入賞装置２０は、可動部材左２３ａおよび可動部材右２３ｂからなる一対の可動部材２３が下部を支点として開閉可能に取付基板２１に軸支されることによって構成されている。可動部材２３は、電気的駆動源としてのソレノイド２５によって開閉制御される。また、可動部材２３の前面には、装飾板２４が設けられている。
【００２３】
可動部材左２３ａと可動部材右２３ｂとの間には、検出スイッチ２６が設けられている。検出スイッチ２６には、円形の穴が設けられており、この穴を通過したパチンコ玉を検出するスイッチである。つまり、検出スイッチ２６に設けられたこの穴が、始動入賞口９である。また、可動部材左２３ａおよび可動部材右２３ｂは、検出スイッチ２６を挟み込むように配置し、ソレノイド２５によって可動部材２３が開成状態となっていない状態でも始動入賞口９にパチンコ玉が受け入れ可能な状態となっている。なお、可動部材２３が開成状態となったときの状態を図３に一点鎖線で示している。開成状態となった可動部材左２３ａ’および可動部材右２３ｂ’は、上部が開いた状態となり、閉成状態の可動部材左２３ａおよび可動部材右２３ｂでは、始動入賞口９に入賞しなかったパチンコ玉を受け止め、始動入賞口９に入賞させることが可能な状態となっている。
【００２４】
また、上述したように、電動始動入賞装置２０および誘導部材３０が同一の取付基板２１に取り付けられている。誘導部材３０は、遊技盤２の表面を落下するパチンコ玉を受け止め、電動始動入賞装置２０に向けて誘導するものである。この実施の形態における誘導部材３０は、透光性の樹脂（例えば、アクリル樹脂、等）で傾斜状に所定の長さをもって突出形成されている。つまり、図３に示すように、誘導部材左３０ａは、所定の角度で所定の巾寸法で右下がりに傾斜して突出形成され、誘導部材右３０ｂは、所定の角度で左下がりに傾斜して突出形成されている。なお、誘導部材３０は、パチンコ玉を受け止めることが可能となる程度に突出形成されればよく、例えば、可動部材２３の前面の遊技盤２の前面からの高さとほぼ同じとなる位に突出形成されてもよい。
【００２５】
また、図３に示すように、誘導部材左３０ａは、開成状態となった可動部材左２３ａ’の上面のほぼ延長線上に形成され、誘導部材右３０ｂは、開成状態となった可動部材右２３ｂ’の上面のほぼ延長線上に形成されている。つまり、誘導部材３０は、電動始動入賞装置２０に向けてパチンコ玉を誘導するものであるが、可動部材２３が閉成状態となっているときには、誘導部材３０によって電動始動入賞装置２０に向けて誘導されたパチンコ玉が始動入賞口９に入賞することができないように配置される。そして、可動部材左２３ａ’および可動部材右２３ｂ’が開成状態となったときに、誘導部材左３０ａによって受け止められて電動始動入賞装置２０に向けて誘導されたパチンコ玉は、可動部材左２３ａ’によって始動入賞口９に導かれるように配置され、可動部材右２３ｂ’によって受け止められて電動始動入賞装置２０に向けて誘導されたパチンコ玉は、可動部材右２３ｂ’によって始動入賞口９に導かれるように配置される。
【００２６】
なお、この実施の形態では、可動部材２３が開成状態となったときの先端部から誘導部材３０までが所定の間隔となるように誘導部材３０が配置される。つまり、可動部材左２３ａ’の先端部と、誘導部材左３０ａの右下方向の先端部と、が所定の間隔を有するように配置され、可動部材右２３ｂ’の先端部と、誘導部材右３０ｂの左下方向の先端部と、が所定の間隔を有するように配置されている。このように構成することによって、可動部材２３が開成状態となっているときに、誘導部材３０によって受け止められて電動始動入賞装置に向けて誘導されたパチンコ玉の全てが始動入賞口９に入賞しないようになるため、始動入賞口９にパチンコ玉が入賞するか否かの期待感を与えることができる。また、可動部材２３が開成状態となったときの先端部から誘導部材３０までの所定の間隔を狭めることによって、可動部材２３が開成状態となったときに誘導部材３０によって電動始動入賞装置２０に向けて誘導されたパチンコ玉の全てが始動入賞口９に入賞する構成としてもよい。
【００２７】
また、誘導部材３０は、可動部材２３が開成状態となっているときに、誘導部材３０によって受け止められて電動始動入賞装置２０に向けて誘導されたパチンコ玉が始動入賞口９に入賞できるような位置に配置されればよく、例えば、可動部材２３が開成状態となったときの先端部の延長線上よりも上方向に配置されるように構成してもよい。
【００２８】
また、図４に示すように、遊技盤２には、複数の障害釘が設けられている。遊技盤２の上方から落下するパチンコ玉は、障害釘と接触することにより、速度および流下方向を変化させる。例えば、障害釘２７ａに接触したパチンコ玉は、速度が減少し、障害釘２８ａ、誘導部材左３０ａ、誘導部材付電動始動入賞装置１０、等の方向に流下方向を変化させる。そして、障害釘２８ａに接触したパチンコ玉は、速度が減少し、誘導部材左３０ａまたは誘導部材左３０ａと障害釘２８ａの間を落下する、等の方向に流下方向を変化させる。そして、障害釘２７ａ、２８ａによって誘導部材左３０ａ上に落下したパチンコ玉は、誘導部材右３０ｂによって電動始動入賞装置２０の方向に導かれる。同様に、障害釘２７ｂ、２８ｂによって誘導部材右３０ｂ上に落下したパチンコ玉は、誘導部材左３０ａによって電動始動入賞装置２０の方向に導かれる。そして、電動始動入賞装置２０にて、可動部材２３ａ、２３ｂが開成状態となっているときに、誘導部材３０によって電動始動入賞装置２０の方向に導かれたパチンコ玉は、始動入賞口９に入賞できる状態となっている。
【００２９】
また、この実施の形態における誘導部材３０には、裏面に所定の発光態様で光を発する複数個の発光部材（ＬＥＤ４０〜ＬＥＤ４４）が誘導部材の傾斜に沿って設けられている。具体的には、誘導部材左３０ａの裏面には、該誘導部材左３０ａの傾斜に沿って電動始動入賞装置２０に近い側から順にＬＥＤ４０ａ、ＬＥＤ４１ａ、ＬＥＤ４２ａ、ＬＥＤ４３ａ、ＬＥＤ４４ａが設けられ、誘導部材右３０ｂの裏面には、該誘導部材右３０ｂの傾斜に沿って電動始動入賞装置２０に近い側から順にＬＥＤ４０ｂ、ＬＥＤ４１ｂ、ＬＥＤ４２ｂ、ＬＥＤ４３ｂ、ＬＥＤ４４ｂが設けられている。そして、誘導部材３０の前面のこれら複数のＬＥＤ（ＬＥＤ４０〜ＬＥＤ４４）に対応する位置には、レンズ３１ａ、３１ｂが該誘導部材３０と一体的に形成されている。このレンズ３１ａ、３１ｂは、誘導部材３０の背面で上記したＬＥＤによって発光されて誘導部材３０の前面に透過した光を散乱させ、発光したＬＥＤの正面に対応した位置のみが光っているように見せるものである。
【００３０】
また、電動始動入賞装置２０の左右側方には、前面装飾部３２が設けられている。前面装飾部３２は、透光性の樹脂（例えば、アクリル樹脂、等）によって前記誘導部材３０と一体的に形成され、その裏面には、所定の発光態様で光を発する複数個の発光部材（ＬＥＤ４５〜４８）が設けられている。具体的には、前面装飾部左３２ａの電動始動入賞装置２０に近い側から順にＬＥＤ４５ａ、ＬＥＤ４６ａ、ＬＥＤ４７ａ、ＬＥＤ４８ａが設けられ、前面装飾部右３２ｂの電動始動入賞装置２０に近い側から順にＬＥＤ４５ｂ、ＬＥＤ４６ｂ、ＬＥＤ４７ｂ、ＬＥＤ４８ｂが設けられている。
【００３１】
上述した複数個の発光部材としてのＬＥＤ４０〜４８は、例えば、遊技機を制御するメイン制御手段からの信号に基づいてランプおよびＬＥＤを制御するランプ制御手段によって発光制御される。ランプ制御手段による発光制御の一例として、例えば、ＬＥＤ４０〜ＬＥＤ４８を、電動始動入賞装置２０の可動部材２３が閉成状態から開成状態へまたは開成状態から閉成状態へ開閉駆動するときに、可動部材２３の駆動状態に同期して発光制御するように構成してもよい。
【００３２】
具体的には、可動部材２３が閉成状態から開成状態への開閉駆動されるときに、電動始動入賞装置２０に近い側に設置されるＬＥＤ４５からＬＥＤ４８を順に点灯し、次いで、ＬＥＤ４０からＬＥＤ４４を順に点灯させ、開成状態から閉成状態への開閉駆動されるときに、電動始動入賞装置２０から遠い位置に設置されるＬＥＤ４４からＬＥＤ４０を順に消灯し、次いで、ＬＥＤ４８からＬＥＤ４５を順に消灯させるように構成してもよい。つまり、電動始動入賞装置２０に近い位置に設置されるＬＥＤ４５から、電動始動入賞装置２０から遠い位置に設置されるＬＥＤ４４に向けて、または電動始動入賞装置２０から遠い位置に配置されるＬＥＤ４４から、電動始動入賞装置２０に近い位置に設置されるＬＥＤ４５に向けて、順次点滅させる点滅態様にて発光制御されるように構成してもよい。
【００３３】
上述したように、ソレノイド２５によって、可動部材左２３ａは、下部を支点として左方向に回動し、可動部材右２３ｂは、下部を支点として右方向に回動する。なお、可動部材左２３ａおよび可動部材右２３ｂは、同一のソレノイド２５によって開閉駆動制御され、両者は同時に開閉駆動制御される。そして、可動部材２３が閉成状態から開成状態へ開閉駆動するときに、可動部材左２３ａの回動角度に応じてＬＥＤ４５ａからＬＥＤ４８ａまで順に発光制御し、次いで、ＬＥＤ４０ａからＬＥＤ４４ａまで順に発光制御するようにしてもよく、更に、可動部材右２３ｂの回動角度に応じてＬＥＤ４５ｂからＬＥＤ４８ｂまで順に発光制御し、次いで、ＬＥＤ４０ｂからＬＥＤ４４ｂまで順に発光制御するようにしてもよい。つまり、開成状態となると、ＬＥＤ４０ａ〜４８ａおよびＬＥＤ４０ｂ〜４８ｂの全てのＬＥＤが点灯するような制御を行うようにしてもよい。
【００３４】
また、開成状態から閉成状態へ開閉駆動するときに、可動部材左２３ａの回動角度に応じてＬＥＤ４４ａからＬＥＤ４０ａまで順に消灯させる制御を行い、次いで、ＬＥＤ４８ａからＬＥＤ４５ａまで順に消灯させる制御を行うようにしてもよく、更に、可動部材右２３ｂの回動角度に応じてＬＥＤ４４ｂからＬＥＤ４０ｂまで順に消灯させる制御を行い、次いで、ＬＥＤ４８ｂからＬＥＤ４５ｂまで順に消灯させる制御を行うようにしてもよい。つまり、閉成状態となると、ＬＥＤ４０ａ〜４８ａおよびＬＥＤ４０ｂ〜４８ｂの全てのＬＥＤが消灯するような制御を行うようにしてもよい。
【００３５】
なお、上述した発光態様は一例であり、その他の遊技状態において発光制御するように構成してもよい。例えば、大当り状態となったときに、誘導部材付電動始動入賞装置１０に設けられたＬＥＤ４０〜４８のいずれか、または全てを発光制御することにより、遊技者の興趣を向上させるような制御を行うように構成してもよい。
【図面の簡単な説明】
【００３６】
【図１】本実施形態に係るパチンコ機の正面図である。
【図２】本実施形態に係る誘導突起付電動始動入賞装置の斜視図である。
【図３】本実施形態に係る誘導突起付電動始動入賞装置の正面図である。
【図４】本実施形態に係る誘導突起付電動始動入賞装置を遊技盤に取り付けた状態の正面図である。
【符号の説明】
【００３７】
１        パチンコ機
２        遊技盤
３        図柄表示装置
４        図柄表示器
９        始動入賞口
１０      誘導部材付電動始動入賞装置
２０      電動始動入賞装置
２１      取付基板
２３      可動部材
３０      誘導部材
４０      ＬＥＤ
４１      ＬＥＤ
４２      ＬＥＤ
４３      ＬＥＤ
４４      ＬＥＤ
４５      ＬＥＤ
４６      ＬＥＤ
４７      ＬＥＤ
４８      ＬＥＤ
【図１】
2005040508.tif 000003
【図２】
2005040508.tif 000004
【図３】
2005040508.tif 000005
【図４】
2005040508.tif 000006